(57)【要約】【課題】本体ユニットに対して上方に移動した原稿カバーを、トレイカバーと干渉することなく、上方へ回動できるシート搬送装置を提供する。【解決手段】原稿カバー７２が第１位置よりも上方に移動すると、当接部７３が連動機構８０の摺接部８１Ｃに当接する。これにより、連動機構８０の回動部材８１が後向きに回動して、スライド部材８７が、上方へスライドする。トレイカバー６２は、スライド部材８７によって、開位置に向けて回動されて、原稿カバー７２が通過する領域から退避される。第３位置になった原稿カバー７２が上方へ回動すると、原稿カバー７２は、退避されたトレイカバー６２と当接するおそれがない。【選択図】図１０
2019068466.tif 000002
【特許請求の範囲】
【請求項１】
シートの搬送経路と、原稿を支持可能なプラテンを有するフラットベッドスキャナと、を有する本体ユニットと、
上記本体ユニットに配置されており、上記搬送経路に供給されるシートを支持面上に支持するトレイ本体部と、
上記トレイ本体部に、第１軸を中心として回動可能に支持されており、上記トレイ本体部の上記支持面から上記本体ユニットへ向かって拡がる空間の上方を覆う閉位置と、当該空間の上方を開放する開位置との間を回動可能なトレイカバーと、
上記第１軸と平行な第２軸を中心として、上記プラテン上を覆う第１位置と、回動先端側が当該第１位置よりも上方に位置し、上記プラテン上を開放する第２位置とに回動可能であり、かつ上記第２軸が上記第１位置よりも上方となる第３位置に移動可能な原稿カバーと、
上記原稿カバーが上記第１位置から上記第２位置へ回動されることに連動して、上記トレイカバーを上記閉位置から上記開位置へ向けて回動させる連動機構と、
上記原稿カバーに設けられており、上記原稿カバーが上記第１位置から上記第３位置へ移動されるときに上記連動機構と当接することによって上記連動機構を作用させて、上記トレイカバーを上記閉位置から上記開位置へ向けて回動させる当接部と、を具備するシート搬送装置。
【請求項２】
上記連動機構は、
上記第２軸と平行な第３軸周りに回動可能であって、上記当接部が当接することによって上記本体ユニットから遠ざかる第１向きへ回動する回動部材と、
上記回動部材の上記第１向きへの回動が伝達されて上向きへスライドするスライド部材と、を有するものであり、
上記スライド部材が上向きへスライドすることによって、上記閉位置の上記トレイカバーが上記開位置へ向かって回動される請求項１に記載のシート搬送装置。
【請求項３】
上記原稿カバーは、上記第１位置において、外面のうち上記トレイ本体部に最も近い位置となる背面を有しており、
上記当接部は、上記背面から上記トレイ本体部の上記支持面へ向かって突出されている請求項１又は２に記載のシート搬送装置。
【請求項４】
上記トレイカバーの先端は、上記閉位置において、上記第１位置における上記原稿カバーの外面のうち上方へ向く上面より下方に位置する請求項１から３のいずれかに記載のシート搬送装置。
【請求項５】
上記回動部材は、上記第１位置から上記第２位置に向かって回動される上記原稿カバーが当接することによって、上記第１向きへ回動するものである請求項１から４のいずれかに記載のシート搬送装置。
【請求項６】
上記回動部材は、上記第３位置に移動された状態で上方に回動される上記原稿カバーに設けられた上記当接部が当接することによって、上記第１向きへ回動するものである請求項５に記載のシート搬送装置。
【請求項７】
上記連動機構は、上記回動部材の回動を上記スライド部材のスライドとして伝達するラック及びピニオン機構を有するものである請求項２から６のいずれかに記載のシート搬送装置。
【請求項８】
上記トレイ本体部は、
上記支持面を有し、起立位置と、当該起立位置よりも上部が上記本体ユニットから離間した傾斜位置との間を回動可能であって、上記傾斜位置において上記搬送経路に供給されるシートを支持するシート支持板を有し、
上記トレイカバーは、上記シート支持板に配置されている請求項１から７のいずれかに記載のシート搬送装置。
【請求項９】
上記トレイ本体部は、上下方向と直交する前後方向において上記本体ユニットの後方に配置されており、
上記第１軸は、上下方向及び前後方向に直交する左右方向に沿っている請求項１から８のいずれかに記載のシート搬送装置。
【請求項１０】
上記本体ユニットは、上記搬送経路を搬送されるシートに画像を記録する記録部を有する請求項１から９のいずれかに記載のシート搬送装置。
【発明の詳細な説明】
【技術分野】
【０００１】
本発明は、シートを搬送可能なシート搬送装置に関する。
【背景技術】
【０００２】
特許文献１には、画像記録機能を有する本体ユニット上に、スキャナユニットが回動可能に配置された画像記録装置において、本体ユニットの背面に手差し給紙部が設けられた構成が開示されている。スキャナユニットには、プラテンガラスと、プラテンガラスを覆う原稿カバーとが設けられている。
【０００３】
手差し給紙部は、本体ユニットに設けられたトレイ本体部と、トレイ本体部の上部に設けられたトレイカバーとを有する。トレイ本体部は、手差し給紙部が使用されない場合に、本体ユニットの背面に沿った起立位置とされ、また、トレイカバーは、起立位置のトレイ本体部の上方を覆う閉位置とされる。手差し給紙部が使用される場合には、トレイ本体部は、その上部が本体ユニットの背面から離れた傾斜位置とされ、また、トレイカバーは、トレイ本体部の上方を開放する開位置とされる。
【０００４】
スキャナユニットにおいて、原稿カバーは、プラテンガラスを覆う第１位置と、プラテンガラスを露出させる第２位置とに回動可能である。特許文献１には、スキャナユニットに設けられた原稿カバーが第１位置から第２位置へ回動されることに連動して、手差し給紙部のトレイカバーを閉位置から開位置に回動させる連動機構が開示されている。これにより、原稿カバーが第２位置に回動されるときに、原稿カバーとトレイカバーとが当接することがない。
【先行技術文献】
【特許文献】
【０００５】
【特許文献１】特開２０１５−６７４０１号公報
【発明の概要】
【発明が解決しようとする課題】
【０００６】
原稿カバーは、プラテンガラスを覆う第１位置から全体が上方へ移動可能に構成されることがある。例えば、本のように厚みのある原稿がプラテンガラスに載置され、その厚みのある原稿に対して原稿カバーが第１位置にされようとすると、原稿の厚みがあることによって、原稿カバーが第１位置とならない。すなわち、原稿カバーがプラテンガラスに対して完全に閉じられない状態となる。このように原稿カバーがプラテンガラスに対して完全に閉じられない状態において、ユーザが、更に原稿カバーを第１位置へ回動させようとして力を加えたときに、原稿カバーの回動軸などに大きな力が加わって破損することを抑制するために、原稿カバーが回動軸と共に上方へ移動可能に構成されている。
【０００７】
しかしながら、特許文献１の構成において、プラテンガラスに厚みのある原稿が載置された状態で、原稿カバーが第２位置へ回動されると、連動機構が作用せず、原稿カバーが、閉位置のトレイカバーに上方から当接するおそれがある。
【０００８】
本発明は、上記問題に鑑みてなされたものであり、原稿カバーが第１位置よりも上方に移動した状態において、トレイカバーと干渉することなく回動可能なシート搬送装置を提供することにある。
【課題を解決するための手段】
【０００９】
(1)  本発明に係るシート搬送装置は、シートの搬送経路と、原稿を支持可能なプラテ
ンを有するフラットベッドスキャナと、を有する本体ユニットと、上記本体ユニットに配置されており、上記搬送経路に供給されるシートを支持面上に支持するトレイ本体部と、上記トレイ本体部に、第１軸を中心として回動可能に支持されており、上記トレイ本体部の上記支持面から上記本体ユニットへ向かって拡がる空間の上方を覆う閉位置と、当該空間の上方を開放する開位置との間を回動可能なトレイカバーと、上記第１軸と平行な第２軸を中心として、上記プラテン上を覆う第１位置と、回動先端側が当該第１位置よりも上方に位置し、上記プラテン上を開放する第２位置とに回動可能であり、かつ上記第２軸が上記第１位置よりも上方となる第３位置に移動可能な原稿カバーと、上記原稿カバーが上記第１位置から上記第２位置へ回動されることに連動して、上記トレイカバーを上記閉位置から上記開位置へ向けて回動させる連動機構と、上記原稿カバーに設けられており、上記原稿カバーが上記第１位置から上記第３位置へ移動されるときに上記連動機構と当接することによって上記連動機構を作用させて、上記トレイカバーを上記閉位置から上記開位置へ向けて回動させる当接部と、を具備する。
【００１０】
フラットベッドスキャナによって本等の厚みのある原稿の画像を読み取る場合に、原稿カバーが第３位置になった状態から、上方へ回動されると、当接部によって連動機構が作用して、トレイカバーが開位置に向かって回動する。これにより、原稿カバーが、第３位置において第２軸を中心として回動するときに、トレイカバーは、原稿カバーが通過する領域から退避される。したがって、第３位置の原稿カバーが上方へ回動されても、原稿カバーは、トレイカバーと当接することがない。
【００１１】
(2)  好ましくは、上記連動機構は、上記第２軸と平行な第３軸周りに回動可能であっ
て、上記当接部が当接することによって上記本体ユニットから遠ざかる第１向きへ回動する回動部材と、上記回動部材の上記第１向きへの回動が伝達されて上向きへスライドするスライド部材と、を有するものであり、上記スライド部材が上向きへスライドすることによって、上記閉位置の上記トレイカバーが上記開位置へ向かって回動される。
【００１２】
原稿カバーが第１位置から第３位置へ移動すると、当接部が回動部材に当接する。これにより、回動部材が第１向きに回動して、スライド部材が上方にスライドする。その結果、原稿カバーがトレイカバーと干渉することを防止できる。
【００１３】
(3)  好ましくは、上記原稿カバーは、上記第１位置において、外面のうち上記トレイ
本体部に最も近い位置となる背面を有しており、上記当接部は、上記背面から上記トレイ本体部の上記支持面へ向かって突出されている。
【００１４】
原稿カバーが第１位置から第３位置へ移動すると、原稿カバーの背面からトレイ本体部へ向かって突出する当接部によって、回動部材は本体ユニットから遠ざかる第１向きに回動される。
【００１５】
(4)  好ましくは、上記トレイカバーの先端は、上記閉位置において、上記第１位置に
おける上記原稿カバーの外面のうち上方へ向く上面より下方に位置する。
【００１６】
トレイカバーの先端が原稿カバーの上面より下方に位置しているので、装置の薄型化が実現される。
【００１７】
(5)  好ましくは、上記回動部材は、上記第１位置から上記第２位置に向かって回動さ
れる上記原稿カバーが当接することによって、上記第１向きへ回動するものである。
【００１８】
原稿カバーが第３位置に移動していない状態において、原稿カバーが第１位置から第２位置へ回動するときにも、回動部材が第１向きに回動されるために、原稿カバーがトレイカバーと当接することがない。
【００１９】
(6)  好ましくは、上記回動部材は、上記第３位置に移動された状態で上方に回動される
上記原稿カバーに設けられた上記当接部が当接することによって、上記第１向きへ回動するものである。
【００２０】
原稿カバーが第１位置から第３位置へ移動すると、当接部により回動部材が後向きに移動される。その後、原稿カバーが上方へ回動されると、当接部によって回動部材がさらに第１向きへ回動される。従って、この場合にも、原稿カバーがトレイカバーと干渉するおそれがない。
【００２１】
(7)  好ましくは、上記連動機構は、上記回動部材の回動を上記スライド部材のスライ
ドとして伝達するラック及びピニオン機構を有するものである。
【００２２】
(8)  好ましくは、上記トレイ本体部は、上記支持面を有し、起立位置と、当該起立位
置よりも上部が上記本体ユニットから離間した傾斜位置との間を回動可能であって、上記傾斜位置において上記搬送経路に供給されるシートを支持するシート支持板を有し、上記トレイカバーは、上記シート支持板に配置されている。
【００２３】
傾斜位置になったシート支持板の支持面上にシートが支持されると、当該シートが、本体ユニットに供給される。
【００２４】
(9)  好ましくは、上記トレイ本体部は、上下方向と直交する前後方向において上記本
体ユニットの後方に配置されており、上記第１軸は、上下方向及び前後方向に直交する左右方向に沿っている。
【００２５】
トレイ本体部は、本体ユニットの後方に配置されているので、トレイ本体部から本体ユニットの前方へシートを搬送できる。
【００２６】
(10)  上記本体ユニットは、上記搬送経路を搬送されるシートに画像を記録する記録部を有する。
【発明の効果】
【００２７】
本発明によれば、原稿カバーが本体ユニットに対して上方に移動した状態で、原稿カバーが回動される際に、原稿カバーがトレイカバーと干渉することが防止される。
【図面の簡単な説明】
【００２８】
【図１】図１は、複合機１０の外観斜視図である。
【図２】図２は、手差し給紙を実行する場合における複合機１０の後部の斜視図である。
【図３】図３は、プリンタ部１２の内部構造を示す縦断面図である。
【図４】図４は、バイパストレイ６０のトレイ本体部６１が水平状態とされた複合機１０における後部の斜視図である。
【図５】図５（Ａ）は、手差し給紙を実行しない場合に、原稿カバー７２が第１位置になった複合機１０の断面図である。図５（Ｂ）は、その場合のカバー支持部７２Ｚの断面図である。
【図６】図６（Ａ）は、手差し給紙を実行しない場合に、原稿カバー７２が第２位置になった複合機１０の断面図である。図６（Ｂ）は、その場合のカバー支持部７２Ｚの断面図である。
【図７】図７（Ａ）は、手差し給紙を実行しない場合に、原稿カバー７２が第１位置よりも上方に位置された複合機１０の断面図である。図７（Ｂ）は、その場合のカバー支持部７２Ｚの断面図である。
【図８】図８は、トレイ支持部５０からバイパストレイ６０のトレイ本体部６１を分離した状態の斜視図である。
【図９】図９（Ａ）は、手差し給紙を実行しない場合のバイパストレイ６０の断面図である。図９（Ｂ）は、手差し給紙を実行する場合のバイパストレイ６０の断面図である。
【図１０】図１０は、手差し給紙を実行しない場合に、原稿カバー７２が第１位置となった複合機１０における後部の断面図である。
【発明を実施するための形態】
【００２９】
以下、本発明の実施形態に係る複合機１０（本発明のシート搬送装置の一例）について説明する。なお、以下に説明される実施形態は本発明の一例にすぎず、本発明の要旨を変更しない範囲で、実施形態を適宜変更できることは言うまでもない。
【００３０】
［複合機１０の全体構成］
図１に示される複合機１０（「シート搬送装置」の一例）は、プリント機能、スキャン機能、ＦＡＸ機能等の各種機能を有する。なお、以下の説明においては、複合機１０が使用可能に設置された図１の状態を基準として、複合機１０の上下方向７、前後方向８及び左右方向９（以下、「幅方向９」とする）が定義される。
【００３１】
複合機１０は、プリント動作を実行する本体ユニット１１と、本体ユニット１１上に設けられた原稿カバー７２と、を有する。本体ユニット１１は、プリント動作を実行するプリンタ部１２と、プリンタ部１２上に設けられたスキャナ７０を有しており、原稿カバー７２は、スキャナ７０上に設けられている。本体ユニット１１の背面１１Ｂには、バイパストレイ６０が設けられている。
【００３２】
複合機１０は、プリンタ部１２の下部に装着された給送トレイ１３を有する。給送トレイ１３内には、画像が記録されるシートが収容される。本体ユニット１１は、給送トレイ１３内に収容されたシートに画像を記録する。バイパストレイ６０は、本体ユニット１１において給送トレイ１３内のシートとは別のシートに画像を記録するために、当該別のシートを手差し給紙する場合に使用される。スキャナ７０は、原稿の画像データを取得する場合に使用される。
【００３３】
バイパストレイ６０は、本体ユニット１１の背面１１Ｂに設けられたトレイ支持部５０によって支持されている。バイパストレイ６０は、手差し給紙を実行しない場合には、図１に示されるように、上部が閉鎖された状態とされる。手差し給紙を実行する場合には、図２に示されるように、バイパストレイ６０は、上部が開放された状態とされる。バイパストレイ６０の詳細については後述される。
【００３４】
＜プリンタ部１２＞
図３に示されるように、プリンタ部１２の内部には、給送トレイ１３内のシートが搬送される搬送経路１４が設けられている。プリンタ部１２の上部には、搬送経路１４を搬送されるシートに、インクジェット方式で画像を記録する記録部３１が設けられている。記録部３１の下方には、記録部３１によって画像が記録されるシートを支持するプラテン３８が設けられている。
【００３５】
搬送経路１４は、給送トレイ１３内のシートを、プリンタ部１２の後部（背面部）において下方から上方に向けて案内する第１搬送経路１４Ａを有する。搬送経路１４は、第１搬送経路１４Ａに連続する第２搬送経路１４Ｂを有する。第２搬送経路１４Ｂは、シートをプリンタ部１２の後部から前向きに直線的に搬送する。第２搬送経路１４Ｂは、記録部３１とプラテン３８との間を通過している。第２搬送経路１４Ｂには、バイパストレイ６０に支持されたシートも供給される。
【００３６】
プリンタ部１２内には、給送トレイ１３内のシートを、搬送経路１４の第１搬送経路１４Ａに供給する給送部１５が設けられている。給送部１５は、プラテン３８と給送トレイ１３との間に配置された支持アーム１５Ｂを有する。支持アーム１５Ｂは、前後方向８に沿った状態で配置されており、後部が上下方向７に回動可能に支持されている。支持アーム１５Ｂの後端部には、幅方向９に沿って配置された給送ローラ１５Ａが回転可能に支持されている。
【００３７】
給送ローラ１５Ａは、支持アーム１５Ｂが支持軸１５Ｃを中心として下方に回動されると、給送トレイ１３内における最上部のシートに当接し、上方に回動されると当該シートから離間する。給送ローラ１５Ａは、動力伝達機構１５Ｄによって図示しないモータの動力が伝達されて、所定方向に回転される。給送トレイ１３内の最上部のシートは、回転される給送ローラ１５Ａによって、搬送経路１４の第１搬送経路１４Ａに供給される。
【００３８】
第１搬送経路１４Ａと第２搬送経路１４Ｂとの間には、第１搬送経路１４Ａを通過したシートを第２搬送経路１４Ｂへ搬送する第１ローラ対２１が設けられている。第１ローラ対２１は、シートの上面に接する第１搬送ローラ２２と、シートの下面に接するピンチローラ２３とを有する。ピンチローラ２３は、第１搬送ローラ２２に接した状態で第１搬送ローラ２２の回転に追従して回転する。第１搬送ローラ２２及びピンチローラ２３は、相互に接した状態で両者の間にシートが搬送されると、当該シートを挟持（ニップ）してプラテン３８上へ搬送する。
【００３９】
第１ローラ対２１の後方には、バイパストレイ６０から供給されるシートの挿入口２６が設けられている。挿入口２６の後方には、図４に示されるバイパス給送部２５が設けられている。バイパス給送部２５は、バイパストレイ６０に支持されたシートを第１ローラ対２１へ供給する。バイパス給送部２５は、幅方向９の中央部に配置された２個のバイパスローラ２５Ａを有する。バイパスローラ２５Ａには動力伝達機構（図示されず）を介して動力が伝達されて回転される。
【００４０】
図３に示されるように、プラテン３８に対してシート搬送向きの下流には、第２ローラ対４１が設けられている。第２ローラ対４１は、第２搬送経路１４Ｂの下方に配置された第２搬送ローラ４２と、第２搬送ローラ４２の上方に配置された拍車ローラ４３とを有する。拍車ローラ４３は、周方向に連続する凹凸形状の拍車部を外周に有する。拍車ローラ４３は、第２搬送ローラ４２に接した状態になると、第２搬送ローラ４２の回転に追従して回転する。第２搬送ローラ４２及び拍車ローラ４３は、相互に回転された状態で両者の間にシートが搬送されると、当該シートを挟持して、排紙トレイ１７上に排出する。排紙トレイ１７は、給送トレイ１３の上方に配置されている。
【００４１】
＜スキャナ７０＞  
スキャナ７０は、フラットベッドスキャナであり、図１に示されるように、プリンタ部１２上に設けられている。スキャナ７０は、プリンタ部１２に回動可能に支持されている。プリンタ部１２上に載置された状態のスキャナ７０は、後部側を回動中心として前部側から上方へ回動可能である。スキャナ７０上に設けられた原稿カバー７２の後端部は、スキャナ７０の後端部とは、図５（Ｂ）に示されるカバー支持部７２Ｚによって連結されている。カバー支持部７２Ｚは、複合機１０における幅方向９の両端部の近傍にそれぞれ設けられている。
【００４２】
図５（Ａ）に示されるように、スキャナ７０の上面には、原稿が載置されるプラテンガラス７１Ａが設けられている。スキャナ７０の内部には、プラテンガラス７１Ａ上の原稿の画像を光学的に読み取り可能なイメージセンサ（図示されず）が、プラテンガラス７１Ａの下方に設けられている。
【００４３】
２つのカバー支持部７２Ｚは、それぞれ同様の構成であり、図５（Ｂ）に示されるように、幅方向９に沿った第３軸体７２Ａをそれぞれ有する。各第３軸体７２Ａは、円柱体を、軸心を挟んで平行になった２つの平面によって切り欠かれた形状になっている。従って、各第３軸体７２Ａの横断面は、軸心を挟んで配置された２つの円周面を有している。各第３軸体７２Ａの軸心は、１本の第１直線７２Ｌ（「第２軸」の一例）上に位置している。
【００４４】
各第３軸体７２Ａには、連結体７２Ｂが支持されている。連結体７２Ｂは、上部に設けられた円環状の連結部７２Ｃと、連結部７２Ｃから下方に延出する挿入部７２Ｄとを有する。連結部７２Ｃは、第３軸体７２Ａに回動可能に嵌合されている。各挿入部７２Ｄは、スキャナ７０の後端部に設けられた各支持孔部７１Ｂ内にそれぞれスライド可能に挿入されている。
【００４５】
スキャナ７０には、支持孔部７１Ｂの前方に配置された前面部７１Ｃと、支持孔部７１Ｂよりも後方に配置された後面部７１Ｄと、が設けられている。前面部７１Ｃの上部には、後向きに突出する係合部７１Ｅが設けられている。
【００４６】
挿入部７２Ｄの下端部には、係合部７１Ｅに係合する抜け止め部７２Ｅが設けられている。挿入部７２Ｄが支持孔部７１Ｂ内を上方にスライドされると、図７（Ｂ）に示されるように、挿入部７２Ｄの抜け止め部７２Ｅは、支持孔部７１Ｂの係合部７１Ｅに係合する。これにより、連結体７２Ｂが支持孔部７１Ｂから上方に抜け出ることが防止される。
【００４７】
原稿カバー７２は、後端部に設けられた２つの第３軸体７２Ａのそれぞれの軸心位置である第１直線７２Ｌを中心として、原稿カバー７２の前端部７２Ｙが、第１直線７２Ｌ周りに上下方向７に回動可能になっている。以下においては、原稿カバー７２の前端部７２Ｙを「回動先端部７２Ｙ」とする。
【００４８】
原稿カバー７２は、図５（Ａ）に示されるように、回動先端部７２Ｙがスキャナ７０の前端部上に載置された第１位置から、図６（Ａ）に示されるように、原稿カバー７２の回動先端部７２Ｙが９０°程度の角度で上方に回動された第２位置にまで回動可能である。原稿カバー７２が第２位置に回動されると、スキャナ７０のプラテンガラス７１Ａは露出する。
【００４９】
原稿カバー７２が第１位置に位置する場合、各カバー支持部７２Ｚに設けられた各連結体７２Ｂの挿入部７２Ｄは、支持孔部７１Ｂ内に位置している。プラテンガラス７１Ａ上に本等の厚みのある原稿が載置された場合には、原稿カバー７２が当該原稿に当接することにより、各連結体７２Ｂの挿入部７２Ｄが、支持孔部７１Ｂ内を上方にスライドする。これにより、原稿カバー７２は、図７（Ａ）に示されるように、第１位置よりも上方へ移動される。以下、第１位置よりも上方とされた原稿カバー７２の位置を「第３位置」とする。第３位置になった原稿カバー７２は、回動先端部７２Ｙが上方に回動可能である。
【００５０】
原稿カバー７２には、画像が読み取られる複数枚の原稿を１枚ずつピックアップして搬送する自動原稿搬送装置（ＡＤＦ）７２Ｗ（図１参照）が設けられている。ＡＤＦ７２Ｗの内部構造は公知の構成が採用されるので詳細な説明が省略される。
【００５１】
［本体ユニット１１のトレイ支持部５０］
本体ユニット１１の後部に設けられるトレイ支持部５０は、図８に示されるように、幅方向９の両端部にそれぞれ配置された側壁部５１を有する。両側壁部５１の間には、それぞれが平板状の下部ガイド板５２及び後側板５３が設けられている。下部ガイド板５２の後部の上方には、バイパストレイ６０におけるトレイ本体部６１の下部が位置している。トレイ本体部６１の上部には、図２に示されるトレイカバー６２が支持されている。
【００５２】
図８に示されるように、本体ユニット１１における幅方向９の左端部に設けられた側壁部５１には連動機構８０が設けられている。連動機構８０は、スキャナ７０の原稿カバー７２の回動と、バイパストレイ６０のトレイカバー６２の回動とを連動させる。連動機構８０の詳細については後述される。
【００５３】
図８に示されるように、トレイ支持部５０の各側壁部５１は、下部ガイド板５２及び後側板５３に対して幅方向９の両外に位置する側面部５１Ｂを有する。各側面部５１Ｂは、上下方向７に長い板状であって前後方向８に沿って配置されている。両側面部５１Ｂの間に配置された下部ガイド板５２及び後側板５３は一体に構成されている。
【００５４】
下部ガイド板５２は、各側面部５１Ｂにおける上下方向７の中程において、ほぼ一定の高さで幅方向９に沿って配置されている。後側板５３は、下部ガイド板５２の後端部から上方に延出している。下部ガイド板５２の前端部は、本体ユニット１１の後端部に設けられた挿入口２６の下方に位置している。後側板５３の上端は、側面部５１Ｂの後部における上下方向７の中程に位置しており、一定の高さになっている。
【００５５】
各側面部５１Ｂには、後側板５３の上端よりも上方において、幅方向９に沿って内向きに突出する第１軸体５１Ｅがそれぞれ設けられている（図８においては、左の第１軸体５１Ｅのみが現れている）。各第１軸体５１Ｅは円柱形状であり、それぞれの軸心５１Ｌは、１本の直線上に位置している。
【００５６】
各側壁部５１には、第１軸体５１Ｅの下方にガイド溝５１Ｆがそれぞれ設けられている。各ガイド溝５１Ｆには、後述するように、バイパストレイ６０のトレイ本体部６１に設けられたるガイド軸６１Ｈがそれぞれスライド可能に嵌合されている。各ガイド溝５１Ｆは、下端部が上端部よりも前方に位置するように傾斜した第１ガイド部５１Ｇと、第１ガイド部５１Ｇの下端部から後向きに延出する第２ガイド部５１Ｈと、を有する。第１ガイド部５１Ｇの上端部は、第１軸体５１Ｅに近接している。第２ガイド部５１Ｈは、第１軸体５１Ｅを中心とする円周に沿った円弧状になっている。
【００５７】
［バイパストレイ６０］
バイパストレイ６０は、図８に示されたトレイ本体部６１と、トレイ本体部６１の上部に支持されたトレイカバー６２（図２参照）とを有する。トレイ本体部６１は、トレイ支持部５０における両側壁部５１の間に配置されている。
【００５８】
図８に示されるように、トレイ本体部６１は、幅方向９に沿って配置された平板状のシート支持板６１Ａと、シート支持板６１Ａの幅方向９の両端に設けられたトレイ側面部６１Ｂと、を有する。シート支持板６１Ａは、トレイ支持部５０の両側壁部５１の間に配置されており、各トレイ側面部６１Ｂが、トレイ支持部５０の各側壁部５１における側面部５１Ｂに対向している。シート支持板６１Ａの前面は、シートが支持される支持面６１Ｍになっている。
【００５９】
各トレイ側面部６１Ｂは、シート支持板６１Ａにおける幅方向９の両側に位置する側縁に沿った板状であり、シート支持板６１Ａから前方に突出している。各トレイ側面部６１Ｂの下部には、前向きに円弧状に突出した当接部６１Ｋが設けられている。トレイ支持部５０の各側面部５１Ｂには、各当接部６１Ｋの前方において上下方向７に沿った段差部５１Ｊが設けられている。各段差部５１Ｊは、トレイ本体部６１が後述するように傾斜位置になることにより、当接部６１Ｋが当接可能になっている。
【００６０】
各トレイ側面部６１Ｂの下端は、シート支持板６１Ａの下端よりも下方に位置している。各トレイ側面部６１Ｂの下端部には、外向きに突出するガイド軸６１Ｈがそれぞれ設けられている。各ガイド軸６１Ｈは円柱形状になっており、それぞれの軸心６１Ｌは同一直線上に位置している。図８に示されるように、各ガイド軸６１Ｈは、トレイ支持部５０の各側面部５１Ｂに設けられたガイド溝５１Ｆにスライド可能に挿入されている。
【００６１】
図８に示されるように、各トレイ側面部６１Ｂの下部には、スライド溝６１Ｃ（図８には一方のみが現れている）が設けられている。各スライド溝６１Ｃは、幅方向９の両外に向かって開口している。各スライド溝６１Ｃには、トレイ支持部５０の各側面部５１Ｂにそれぞれ設けられた第１軸体５１Ｅが嵌合されている。図９（Ａ）及び（Ｂ）に示されるように、各スライド溝６１Ｃは、トレイ側面部６１Ｂの長手方向に沿った直線状の第１溝部６１Ｅと、第１溝部６１Ｅの下端部から前向きに延出する第２溝部６１Ｆとを有する。第２溝部６１Ｆは、ガイド軸６１Ｈを中心とする円周に沿った円弧状になっている。
【００６２】
第１溝部６１Ｅの上部内には、第１溝部６１Ｅの上端部を区画する隔壁部６１Ｇが設けられている。隔壁部６１Ｇは、第１溝部６１Ｅの上端部内に、第１軸体５１Ｅが回動可能に嵌合される空間が形成されるように配置されている。隔壁部６１Ｇは、幅方向９の両外に向かって突出している。隔壁部６１Ｇは、シート支持板６１Ａが、第１溝部６１Ｅに沿って第２溝部６１Ｆから離れる向きにスライドされた場合に、第１溝部６１Ｅにおける上端部の空間内に嵌合された第１軸体５１Ｅは、隔壁部６１Ｇを乗り越えることができる。
【００６３】
トレイ本体部６１は、第１溝部６１Ｅにおける上端部の空間内に嵌合された各第１軸体５１Ｅの軸心５１Ｌ（図８参照）を中心として、軸心５１Ｌ周りに回動可能である。トレイ本体部６１は、上部が本体ユニット１１の背面１１Ｂに接近する向きに回動すると、背面１１Ｂに沿った起立位置になる。トレイ本体部６１が起立位置では、シート支持板６１Ａから本体ユニット１１の背面１１Ｂへ向かって拡がる空間が形成される。
【００６４】
シート支持板６１Ａの上部が本体ユニット１１の背面１１Ｂから離間する方向に回動すると、ガイド軸６１Ｈが、ガイド溝５１Ｆの第２ガイド部５１Ｈを構成する周面に当接する。また、トレイ本体部６１は、各トレイ側面部６１Ｂの下部に設けられた当接部６１Ｋがトレイ支持部５０の各側面部５１Ｂに設けられた段差部５１Ｊに当接する。これにより、シート支持板６１Ａが所定の角度で傾斜した傾斜位置で停止される。トレイ本体部６１が傾斜位置の場合、後述するように、トレイカバー６２が「開位置」になると、ユーザによって、傾斜したシート支持板６１Ａ上と、開位置のトレイカバー６２上とにわたってシートが載置される。
【００６５】
トレイ本体部６１が傾斜位置になると、トレイ本体部６１に設けられたガイド軸６１Ｈは、トレイ支持部５０の各側面部５１Ｂに設けられたガイド溝５１Ｆの第２ガイド部５１Ｈ内に位置している。このために、トレイ本体部６１が各第１軸体５１Ｅの軸心５１Ｌを中心として回動すると、ガイド軸６１Ｈは、第２ガイド部５１Ｈに沿ってスライドする。これにより、トレイ本体部６１は、各第１軸体５１Ｅの軸心５１Ｌを中心として円滑に回動する。トレイ本体部６１が傾斜位置になると、ガイド軸６１Ｈは、ガイド溝５１Ｆの第２ガイド部５１Ｈにおける第１ガイド部５１Ｇの下端部内に位置される。
【００６６】
前述したように、第１溝部６１Ｅにおける上端部に嵌合された第１軸体５１Ｅは、傾斜位置のシート支持板６１Ａが傾斜方向に沿って上方にスライドされると、隔壁部６１Ｇを乗り越える。この場合、第１軸体５１Ｅは、第１溝部６１Ｅに沿って、第２溝部６１Ｆに接近する向きにスライドされる。
【００６７】
第１軸体５１Ｅがスライドすると、ガイド軸６１Ｈは、ガイド溝５１Ｆの第１ガイド部５１Ｇ内を下端部から上方に向かってスライドする。ガイド軸６１Ｈが第１ガイド部５１Ｇの上端部に達すると、第１軸体５１Ｅは、スライド溝６１Ｃにおける第１溝部６１Ｅの下端部に位置される。
【００６８】
これにより、ガイド軸６１Ｈと、ガイド溝５１Ｆの第２ガイド部５１を構成する周面との当接が解消される。また、各トレイ側面部６１Ｂの当接部６１Ｋとトレイ支持部５０の段差部５１Ｊとの当接も解消される。さらには、第１軸体５１Ｅは、スライド溝６１Ｃの第２溝部６１Ｆ内にスライド可能になっている。その結果、トレイ本体部６１には、自重により、ガイド軸６１Ｈを中心として、トレイ本体部６１の上部を下方に回動させる力が作用する。この力により、トレイ本体部６１の上部が下方に回動され、第１軸体５１Ｅは、スライド溝６１Ｃの第２溝部６１Ｆ内をスライドする。トレイ本体部６１がほぼ水平な状態になると、トレイ本体部６１はトレイ支持部５０における後側板５３の上端に当接する。これにより、トレイ本体部６１の回動が停止される。
【００６９】
トレイ本体部６１に支持されるトレイカバー６２は図２に示されるように、板状であり、幅方向９に沿って配置されている。図９（Ａ）及び（Ｂ）に示されるように、トレイカバー６２における長手方向に沿った一方の側縁部６２Ａ（以下、「第１側縁部６２Ａ」とする）は、トレイ本体部６１におけるシート支持板６１Ａの上端縁に沿って配置されている。なお、トレイカバー６２における第１側縁部６２Ａとは反対側の長手方向に沿った側縁部６２Ｃを、「第２側縁部６２Ｃ」とする。
【００７０】
図２に示されるように、トレイカバー６２における表面６２Ｄとは反対に位置する面には、幅方向９の右端の近傍に、第２軸体６２Ｙが設けられている。第２軸体６２Ｙは、トレイ本体部６１における幅方向９の右端近傍に位置するトレイ側面部６１Ｂの上方に対応する位置に設けられている。図示しないが、トレイカバー６２には、幅方向９の左端の近傍にも第２軸体が設けられている。この第２軸体も、トレイ本体部６１における幅方向９の右端近傍に位置するトレイ側面部６１Ｂの上方に対応する位置に設けられている。
【００７１】
図８に示されるように、各トレイ側面部６１Ｂの上部には貫通孔６１Ｒが設けられている。第２軸体６２Ｙのそれぞれは、貫通孔６１Ｒ内に回動可能に挿入されている。各貫通孔６１Ｒは円形状であり、それぞれの軸心は、１本の第２直線６２Ｌ（「第１軸」の一例）上に位置している。各第２軸体６２Ｙは、各トレイ側面部６１Ｂの上部に設けられた貫通孔６１Ｒ内に回動可能に挿入されている。従って、第２軸体６２Ｙのそれぞれの軸心も第２直線６２Ｌ上に位置している。
【００７２】
トレイ本体部６１が本体ユニット１１の背面１１Ｂに沿った起立位置になっている場合に、トレイカバー６２が水平状態になると、第２側縁部６２Ｃが原稿カバー７２の背面７２Ｇに近接した位置になる。このような状態では、トレイカバー６２は水平状態になり、トレイ本体部６１のシート支持板６１Ａと、本体ユニット１１の背面１１Ｂとの間の空間を覆う。以下、このようなトレイカバー６２の位置を「閉位置」とする。開位置のトレイカバー６２は、第１位置の原稿カバー７２における外面のうち上方へ向く上面７２Ｈよりも下方に位置している。
【００７３】
トレイカバー６２が閉位置で、第２側縁部６２Ｃが上方に向かって回動されると、トレイカバー６２は、シート支持板６１Ａの上部と、本体ユニット１１の背面１１Ｂとの間の空間を開放する。トレイカバー６２は、シート支持板６１Ａに沿った状態になるまで回動可能である。なお、以下においては、シート支持板６１Ａに沿ったトレイカバー６２の位置を、トレイカバー６２の「開位置」（図２参照）とする。
【００７４】
トレイ本体部６１が傾斜位置でトレイカバー６２が開位置の場合に、シート支持板６１Ａの支持面６１Ｍ上にシートが支持される。シートの上部は、トレイカバー６２上に支持され得る。
【００７５】
図２に示されるように、トレイカバー６２には、支持されるシートが本体ユニット１１の内部に供給される際に、幅方向９の両外の側縁を案内する２個の案内部材６３が設けられている。各案内部材６３は、トレイカバー６２における表面６２Ｄとは反対面に設けられている。各案内部材６３は、表面６２Ｄが露出する向きとは反対向きに突出している。各案内部材６３は、図示しないラック及びピニオン機構により、同期して、相互に接近する方向及び相互に離間する方向に移動可能になっている。
【００７６】
［連動機構８０］
図２及び図４に示されるように、連動機構８０は、トレイ支持部５０における幅方向９の左端に配置された側壁部５１に設けられている。図１０に示されるように、連動機構８０は、本体ユニット１１の後方において、前後方向８に沿って配置された回動部材８１を有する。回動部材８１は、上下方向７に沿って長い平板状である。回動部材８１の下部は、幅方向９に沿って配置された回動軸８２に回動可能に支持されている。回動軸８２の軸心は、１本の第３直線８２Ｌ（「第３軸」の一例）上に位置している。第３直線８２Ｌは、第１直線７２Ｌと平行になっている。
【００７７】
回動部材８１の上部は、前後方向８に回動可能になっている。すなわち、本体ユニット１１から遠ざかる後向き（「第１向き」の一例）と、本体ユニット１１に接近する前向きとに回動可能である。
【００７８】
回動部材８１の上部には、回動部材８１と一体に構成されたセグメントギヤ８３が設けられている。セグメントギヤ８３は、内歯歯車の一部によって構成されており、回動軸８２を中心とした円周面に沿って配置されている。セグメントギヤ８３は、回動部材８１と一体となって前後方向８に回動する。
【００７９】
回動部材８１の上部にはセグメントギヤ８３を覆うギヤカバー８１Ａが設けられている。ギヤカバー８１Ａは、セグメントギヤ８３の上方において前後方向８に沿って配置された上面部８１Ｂを有する。上面部８１Ｂの前端部は、セグメントギヤ８３よりも前方に位置しており、当該前端部には、上方に延出する摺接部８１Ｃが設けられている。摺接部８１Ｃは、原稿カバー７２が第１位置の場合に、原稿カバー７２の背面７２Ｇに対向している。摺接部８１Ｃは、回動部材８１が最も前向きに回動した状態で、第１位置になった原稿カバー７２における背面７２Ｇの上部に当接している。
【００８０】
摺接部８１Ｃは、原稿カバー７２が第１位置から第２位置へ回動する際に、その回動に追従して、原稿カバー７２の背面７２Ｇに摺接する。原稿カバー７２が第１位置から第２位置へ回動する際には、原稿カバー７２の背面７２Ｇが、上下方向７に沿った状態から、上部が後方に位置するように傾斜する。摺接部８１Ｃは、原稿カバー７２における背面７２Ｇの傾斜角度が大きくなるにつれて、順次、後向き（本体ユニット１１から遠ざかる「第１向き」の一例）に回動する。その後、さらに、原稿カバー７２が第２位置へ向かって回動すると、摺接部８１Ｃは、原稿カバー７２の背面７２Ｇから、原稿カバー７２の上面７２Ｈに当接した状態になる。この場合も、摺接部８１Ｃは、原稿カバー７２の傾斜角度が大きくなるにつれて順次、後向きに回動し、回動部材８１は、回動軸８２を中心として、さらに後向きに回動する。
【００８１】
図６及び図７に示されるように、摺接部８１Ｃにおける幅方向９の左端部には、下方に延出する板状のガイド面８１Ｄが設けられている。ガイド面８１Ｄの上部は、回動部材８１が最も前向きに回動した状態で、図６（Ａ）に示されるように、第３位置になった原稿カバー７２の背面７２Ｇに平行になる。原稿カバー７２が第１位置の場合も同様に、ガイド面８１Ｄの上部は、原稿カバー７２の背面７２Ｇに平行になる。ガイド面８１Ｄの下部は、回動部材８１が最も前向きに回動した状態では、下方になるにつれて後方に位置するように傾斜している。
【００８２】
図５に示されるように、セグメントギヤ８３の後部下方には、アイドルギヤ８５が設けられている。アイドルギヤ８５は、セグメントギヤ８３に噛み合う第１ギヤ８５Ａ（図５の拡大図参照）と、第１ギヤ８５Ａとは一体に回転する第２ギヤ８５Ｂとを有する。第２ギヤ８５Ｂと第１ギヤ８５Ａとは同軸状態で支持されている。アイドルギヤ８５の下方には、第２ギヤ８５Ｂに噛み合ったピニオンギヤ８６が設けられている。
【００８３】
ピニオンギヤ８６の後方には、上下方向７に沿った棒状のスライド部材８７が設けられている。スライド部材８７は、トレイ支持部５０の後部に位置している。スライド部材８７の前面には、ピニオンギヤ８６に噛み合うラックギヤ８７Ａが形成されている。
【００８４】
スライド部材８７は、回動部材８１が後向きに回動しない状態、すなわち、原稿カバー７２が第１位置のときには、最も下方に位置している。このような状態では、スライド部材８７の上端部は、トレイカバー６２における左端部の後部に当接又は近接している。
【００８５】
原稿カバー７２が第１位置から第２位置になるように回動すると、回動部材８１の上部が後向きに回動し、セグメントギヤ８３が、回動部材８１と一体となって後向きに回動する。これにより、セグメントギヤ８３に噛み合ったアイドルギヤ８５の第１ギヤ８５Ａが回転し、第１ギヤ８５Ａの回転により、アイドルギヤ８５の第２ギヤ８５Ｂが一体となって回転する。その結果、第２ギヤ８５Ｂが噛み合ったピニオンギヤ８６が回転して、ピニオンギヤ８６に噛み合ったラックギヤ８７Ａが上方にスライドする。スライド部材８７の全体が上方にスライドする。
【００８６】
ラックギヤ８７Ａが上方にスライドすると、スライド部材８７の全体が上方にスライドする。これにより、閉位置のトレイカバー６２は上方に押し上げられて、トレイカバー６２の第２側縁部６２Ｃは上方に回動する。トレイカバー６２の第２側縁部６２Ｃが上方に回動すると、第１位置から第２位置へ回動する原稿カバー７２の背面７２Ｇがトレイカバー６２の第２側縁部６２Ｃに接するおそれがない。これにより、原稿カバー７２は円滑に第２位置に回動される。
【００８７】
［原稿カバー７２の当接部７３］
図５（Ｂ）に示されるように、原稿カバー７２の背面７２Ｇには、回動部材８１の摺接部８１Ｃに当接する当接部７３が設けられている。当接部７３は、原稿カバー７２が上方へ移動した場合に、摺接部８１Ｃに当接して回動部材８１の上部を後向きに回動させる。当接部７３は、第１位置の原稿カバー７２の背面７２Ｇにおける左端部に設けられて。当接部７３は、背面７２Ｇから、トレイ本体部６１に向かって後向きに突出している。当接部７３は、連動機構８０における回動部材８１の摺接部８１Ｃの下方において、下部が上部よりも後方に位置するように傾斜した傾斜面７３Ａを有する。傾斜面７３Ａの下方には、原稿カバー７２の背面７２Ｇに平行な当接面７３Ｂが連続して設けられている。
【００８８】
図５（Ａ）に示されるように、当接部７３は、原稿カバー７２が第１位置の場合には、回動部材８１の摺接部８１Ｃよりも下方に位置している。このような状態では、回動部材８１の摺接部８１Ｃは原稿カバー７２の背面７２Ｇに当接しており、回動部材８１は、後向きに回動されない。
【００８９】
図７（Ａ）に示されるように、原稿カバー７２が第１位置から第３位置に移動されると、当接部７３の傾斜面７３Ａが、回動部材８１における摺接部８１Ｃ下端部に当接する。これにより、摺接部８１Ｃが後向きに移動し、回動部材８１の上部は後向きに回動する。
【００９０】
第１位置の原稿カバー７２が第２位置へ向かって回動される場合には、原稿カバー７２の背面７２Ｇは、摺接部８１Ｃに摺接する。その後、原稿カバー７２が第２位置へ向かって回動されると、原稿カバー７２の上面７２Ｈが摺接部８１Ｃに摺接し、さらにその後に、図６（Ａ）に示されるように、ガイド面８１Ｄに摺接する。
【００９１】
［バイパストレイ６０の動作］
バイパストレイ６０は、手差し給紙が実行されない場合には、図１に示される状態とされる。この状態では、トレイ本体部６１は、本体ユニット１１の背面１１Ｂに沿った起立位置になっており、トレイカバー６２は、トレイ本体部６１と本体ユニット１１との間の空間を覆った閉位置になっている。閉位置のトレイカバー６２は、トレイ本体部６１と本体ユニット１１との間の空間に塵埃等の異物が侵入することを防止する。
【００９２】
手差し給紙が実行される場合には、トレイカバー６２が開位置とされ、トレイ本体部６１のシート支持板６１Ａが傾斜位置とされる。これにより、図９（Ｂ）に示されるように、トレイカバー６２は、傾斜位置のシート支持板６１Ａに沿った開位置になる。傾斜位置のシート支持板６１Ａ上及び開位置のトレイカバー６２上に、ユーザによってシートが載置される。
【００９３】
シート支持板６１Ａ上に支持されたシートは、バイパス給送部２５によって、本体ユニット１１内に設けられた搬送経路１４の第２搬送経路１４Ｂに供給される。第２搬送経路１４Ｂを搬送されるシートは、記録部３１によって画像が記録される。
【００９４】
［連動機構８０の動作］
スキャナ７０によって、原稿の画像を読み取る場合等において、原稿カバー７２が第１位置から第２位置に回動される際には、トレイカバー６２は、連動機構８０によって、原稿カバー７２とは干渉しない状態とされる。
【００９５】
すなわち、第１位置の原稿カバー７２における背面７２Ｇの上部には、連動機構８０の摺接部８１Ｃが当接している。この状態で、原稿カバー７２が第２位置に回動されると、原稿カバー７２の背面７２Ｇは、上部が後向きに回動し、背面７２Ｇの上部に当接した摺接部８１Ｃが後向きに回動して、回動部材８１の上部が後向きに回動する。これにより、セグメントギヤ８３が後向きに回動して、アイドルギヤ８５及びピニオンギヤ８６が回転し、ラックギヤ８７Ａが設けられたスライド部材８７の全体が上方へスライドする。その結果、閉状態のトレイカバー６２は、第２側縁部６２Ｃが上方に回動した状態になる。
【００９６】
このような状態では、その後、さらに原稿カバー７２が第２位置に向かって回動されても、原稿カバー７２の背面７２Ｇが、トレイカバー６２の第２側縁部６２Ｃに当接するおそれがない。
【００９７】
原稿カバー７２が、さらに第２位置に向かって回動されると、原稿カバー７２の背面７２Ｇは、摺接部８１Ｃに当接した状態から、摺接部８１Ｃのガイド面８１Ｄに摺接する。これにより、回動部材８１の上部は、さらに後向きに回動される。その後、さらに、原稿カバー７２が第２位置へ向かって回動されると、原稿カバー７２の上面７２Ｈが、ガイド面８１Ｄに摺接して、回動部材８１の上部がさらに後向きに回動される。これにより、トレイカバー６２は、スライド部材８７によって、開位置になるように回動される。
【００９８】
原稿カバー７２が第２位置になると、図６（Ａ）に示されるように、原稿カバー７２の上面７２Ｈが、ガイド面８１Ｄの下部に当接した状態になる。このような状態では、トレイカバー６２の第２側縁部６２Ｃがスライド部材８７の上端部によって押し上げられて、トレイ本体部６１は傾斜位置になる。
【００９９】
また、スキャナ７０によって、本等のような厚みのある原稿の画像を読み取る場合には、原稿カバー７２を第２位置とした状態で、プラテンガラス７１Ａ上に、原稿が所定の状態で載置される。その後、原稿カバー７２の回動先端部７２Ｙが下方に回動される。
【０１００】
原稿カバー７２の回動先端部７２Ｙが下方に回動されると、原稿カバー７２は、プラテンガラス７１Ａ上の原稿に当接する。この場合、原稿カバー７２は、カバー支持部７２Ｚの第３軸体７２Ａが上方に移動し、原稿カバー７２は第３位置になる。これにより、原稿カバー７２の背面７２Ｇに設けられた当接部７３の傾斜面７３Ａが、摺接部８１Ｃの下端部に当接する。その結果、摺接部８１Ｃが後向きに回動されて、回動部材８１の上部が後向きに回動する。
【０１０１】
回動部材８１の上部が後向きに回動されると、前述したように、セグメントギヤ８３によってアイドルギヤ８５が回転し、次いで、ピニオンギヤ８６が回転する。これにより、ピニオンギヤ８６に噛み合ったラックギヤ８７Ａが上方に回動し、スライド部材８７の全体が上方へスライドする。スライド部材８７が上方にスライドすると、スライド部材８７の上端部によって、トレイカバー６２が押し上げられる。その結果、図７（Ａ）に示されるように、トレイカバー６２の第２側縁部６２Ｃは、トレイカバー６２が閉位置の場合よりも上方に回動される。
【０１０２】
この場合、トレイカバー６２は、水平状態から１５°程度の傾斜角度で傾斜した位置になる。これにより、トレイカバー６２は、原稿カバー７２が第３位置から、第３軸体７２Ａの第１直線７２Ｌを中心として回動するときに、原稿カバー７２が通過する領域から退避される。このようなトレイカバー６２の位置を「退避位置」とする。
【０１０３】
トレイカバー６２が退避位置になった状態で、スキャナ７０による原稿の画像の読み取りが終了すると、原稿をプラテンガラス７１Ａから取り出すために、原稿カバー７２の回動先端部７２Ｙが上方に回動される。この場合、トレイカバー６２は退避位置になっているために、回動される原稿カバー７２の背面７２Ｇに当接するおそれがない。従って、原稿カバー７２の回動先端部７２Ｙは、トレイカバー６２と干渉することなく、円滑に上方に回動される。
【０１０４】
原稿カバー７２の回動先端部７２Ｙが、第３軸体７２Ａの第１直線７２Ｌを中心に上方に回動とれると、原稿カバー７２の背面７２Ｇ及び上面７２Ｈが、順番に摺接部８１Ｃに摺接し、その後、上面７２Ｈがガイド面８１Ｄに摺接する。これにより、回動部材８１が後向きに回動し、セグメントギヤ８３、アイドルギヤ８５、ピニオンギヤ８６、ピニオンギヤ８６、ラックギヤ８７Ａのそれぞれの作用により、退避位置になったトレイカバー６２の第２側縁部６２Ｃがさらに上方に回動される。その結果、プラテンガラス７１Ａ上の本等の原稿は、プラテンガラス７１Ａ上から容易に取り除かれる。
【０１０５】
［実施形態の効果］
本実施形態によれば、原稿カバー７２が第１位置から第３位置に移動すると、当接部７３によって連動機構８０が作用して、トレイカバー６２が開位置に向かって回動する。これにより、原稿カバー７２が、第３位置において第１直線７２Ｌを中心として回動するときに、トレイカバー６２は、原稿カバー７２が通過する領域から退避される。したがって、第３位置の原稿カバー７２の回動先端部７２Ｙが上方に回動されても、原稿カバー７２は、トレイカバー６２と当接することがない。
【０１０６】
本体ユニット１１は、原稿が載置されるプラテンガラス７１Ａを有するフラットベッドスキャナを有するものであり、原稿カバー７２は、第１位置においてプラテンガラス７１Ａ上を覆い、第２位置においてプラテンガラス７１Ａ上を開放する原稿カバーである。これにより、フラットベッドスキャナによって本等の厚みのある原稿の画像を読み取る場合に、第３位置になった原稿カバー７２の回動先端部７２Ｙを、トレイカバー６２に干渉することなく上方に回動させることができる。
【０１０７】
連動機構８０の回動部材８１は、第１直線７２Ｌと平行な第３直線８２Ｌ周りに回動可能に本体ユニット１１に支持されており、当接部７３が当接することによって前向き（本体ユニット１１から遠ざかる向き）へ回動する。連動機構８０のスライド部材８７は、回動部材８１の前向きの回動が伝達されて上向きにスライドする。スライド部材８７が上向きへスライドすることによって、閉位置のトレイカバー６２が開位置へ向かって回動される。
【０１０８】
原稿カバー７２が第１位置から第３位置へ移動すると、当接部７３が回動部材８１に当接する。これにより、回動部材８１が後向きに回動して、スライド部材８７が上方にスライドする。その結果、トレイカバー６２が閉位置から開位置に向かって回動する。その結果、原稿カバー７２がトレイカバー６２と干渉することが防止される。
【０１０９】
原稿カバー７２は、第１位置において、外面のうちトレイ本体部６１に最も近い位置となる背面７２Ｇを有しており、当接部７３は、背面７２Ｇからトレイ本体部６１へ向かって突出されている。この構成によれば、原稿カバー７２が第１位置から第３位置へ移動すると、原稿カバー７２の背面７２Ｇからトレイ本体部６１へ向かって突出する当接部７３によって、回動部材８１は後向きに回動される。
【０１１０】
トレイカバー６２の第２側縁部６２Ｃは、閉位置において、第１位置における原稿カバー７２の外面のうち上方へ向く上面７２Ｈより下方に位置する。これにより、装置の薄型化が実現される。
【０１１１】
回動部材８１は、第１位置から第２位置に向かって回動される原稿カバー７２が当接することによって、後向きに回動するものである。この場合、原稿カバー７２が第３位置に移動していない状態において、原稿カバー７２が第１位置から第２位置へ回動するときにも、回動部材８１が後向きに回動されて、原稿カバー７２がトレイカバー６２と当接することがない。
【０１１２】
回動部材８１は、原稿カバー７２が第３位置に移動された状態で回動先端部７２Ｙが上方に回動される原稿カバー７２の当接部７３が当接することによって、後向きに回動するものである。
【０１１３】
原稿カバー７２が第１位置から第３位置へ移動すると、当接部７３により回動部材８１が後向きに移動される。その後、原稿カバー７２の回動先端部７２Ｙが上方へ回動されると、当接部７３によって回動部材８１がさらに後向きに回動される。従って、この場合にも、原稿カバー７２がトレイカバー６２と干渉するおそれがない。
【０１１４】
連動機構８０は、回動部材８１の回動をスライド部材８７のスライドとして伝達するラック及びピニオン機構を有するものである。
【０１１５】
トレイ本体部６１は、起立位置と、当該起立位置よりも上部が本体ユニット１１から離間した傾斜位置との間を回動可能であるシート支持板６１Ａを有する。シート支持板６１Ａは、傾斜位置において搬送経路１４に供給されるシートを支持する支持面６１Ｍを有する。トレイカバー６２は、シート支持板６１Ａに支持されている。
【０１１６】
傾斜位置になったシート支持板６１Ａの支持面６１Ｍ上にシートが支持されると、シートが、本体ユニット１１の搬送経路１４に供給される。
【０１１７】
トレイ本体部６１は、上下方向７と直交する前後方向８において本体ユニット１１の後方に配置されており、第１軸体５１Ｅの軸心５１Ｌは、上下方向７及び上記前後方向８に直交する幅方向９に沿っている。この場合、トレイ本体部６１が本体ユニット１１の後方に配置されているので、トレイ本体部６１から本体ユニット１１の前端部へシートを搬送させることができる。
【０１１８】
［変形例］
上記実施形態では、スキャナ７０が、プリンタ部１２に対して回動可能に支持された構成であるが、スキャナ７０がプリンタ部１２に対して固定された構成であってもよい。
【符号の説明】
【０１１９】
１０・・・・複合機
１１・・・・本体ユニット
１１Ｂ・・・背面（第１側面）
１４・・・・搬送経路
５０・・・・トレイ支持部
６１・・・・トレイ本体部
６１Ａ・・・シート支持板
６２・・・・トレイカバー
６２Ｙ・・・第２軸体
７０・・・・スキャナ
７１Ａ・・・プラテンガラス
７２・・・・原稿カバー
７２Ａ・・・第３軸体
７２Ｇ・・・背面
７２Ｈ・・・上面
８０・・・・連動機構
８１・・・・回動部材
８１Ｃ・・・摺接部
８３・・・・セグメントギヤ
８５・・・・アイドルギヤ
８６・・・・ピニオンギヤ
８７・・・・スライド部材
【図１】
2019068466.tif 000003
【図２】
2019068466.tif 000004
【図３】
2019068466.tif 000005
【図４】
2019068466.tif 000006
【図５】
2019068466.tif 000007
【図６】
2019068466.tif 000008
【図７】
2019068466.tif 000009
【図８】
2019068466.tif 000010
【図９】
2019068466.tif 000011
【図１０】
2019068466.tif 000012
【手続補正書】
【提出日】平成31年1月24日(2019.1.24)
【手続補正１】
【補正対象書類名】特許請求の範囲
【補正対象項目名】全文
【補正方法】変更
【補正の内容】
【特許請求の範囲】
【請求項１】
シートの搬送経路と、原稿を支持可能なプラテンを有するフラットベッドスキャナと、を有する本体ユニットと、
上記本体ユニットに配置されており、上記搬送経路に供給されるシートを支持面上に支持するトレイ本体部と、
第１軸を中心として回動可能に支持されており、上記トレイ本体部の上記支持面から上記本体ユニットへ向かって拡がる空間の上方を覆う閉位置と、当該空間の上方を開放する開位置との間を回動可能なトレイカバーと、
上記第１軸と平行な第２軸を中心として、上記プラテン上を覆う第１位置と、回動先端側が当該第１位置よりも上方に位置し、上記プラテン上を開放する第２位置とに回動可能であり、かつ上記第２軸が上記第１位置よりも上方となる第３位置に移動可能な原稿カバーと、を具備し、
上記トレイカバーは、上記原稿カバーが上記第１位置から上記第２位置へ回動されることに連動して、上記閉位置から上記開位置へ向けて回動し、且つ、上記原稿カバーが上記第１位置から上記第３位置へ移動されることに連動して、上記閉位置から上記開位置へ向けて回動し、
上記トレイカバーは更に、上記原稿カバーが上記第３位置に移動された状態で上方に回動されることに連動して、上記閉位置から上記開位置へ向けて回動するシート搬送装置。
【請求項２】
上記第２軸と平行な第３軸周りに回動可能であって、上記原稿カバーに設けられた当接部が当接することによって上記本体ユニットから遠ざかる第１向きへ回動する回動部材と、
上記回動部材の上記第１向きへの回動が伝達されて上向きへスライドするスライド部材と、を更に具備し、
上記スライド部材が上向きへスライドすることによって、上記閉位置の上記トレイカバーが上記開位置へ向かって回動される請求項１に記載のシート搬送装置。
【請求項３】
上記原稿カバーは、上記第１位置において、外面のうち上記トレイ本体部に最も近い位置となる背面を有しており、
上記当接部は、上記背面から上記トレイ本体部の上記支持面へ向かって突出されている請求項２に記載のシート搬送装置。
【請求項４】
上記トレイカバーの先端は、上記閉位置において、上記第１位置における上記原稿カバーの外面のうち上方へ向く上面より下方に位置する請求項１から３のいずれかに記載のシート搬送装置。
【請求項５】
上記回動部材は、上記第１位置から上記第２位置に向かって回動される上記原稿カバーが当接することによって、上記第１向きへ回動するものである請求項２から４のいずれかに記載のシート搬送装置。
【請求項６】
上記回動部材は、上記第３位置に移動された状態で上方に回動される上記原稿カバーに設けられた上記当接部が当接することによって、上記第１向きへ回動するものである請求項５に記載のシート搬送装置。
【請求項７】
上記回動部材の回動を上記スライド部材のスライドとして伝達するラック及びピニオン機構を更に具備する請求項２から６のいずれかに記載のシート搬送装置。
【請求項８】
上記トレイ本体部は、
上記支持面を有し、起立位置と、当該起立位置よりも上部が上記本体ユニットから離間した傾斜位置との間を回動可能であって、上記傾斜位置において上記搬送経路に供給されるシートを支持するシート支持板を有し、
上記トレイカバーは、上記シート支持板に配置されている請求項１から７のいずれかに記載のシート搬送装置。
【請求項９】
上記トレイ本体部は、上下方向と直交する前後方向において上記本体ユニットの後方に配置されており、
上記第１軸は、上下方向及び前後方向に直交する左右方向に沿っている請求項１から８のいずれかに記載のシート搬送装置。
【請求項１０】
上記本体ユニットは、上記搬送経路を搬送されるシートに画像を記録する記録部を有する請求項１から９のいずれかに記載のシート搬送装置。